(57)【要約】【課題】  この発明は、映像調整を行っている間に進行する映像を見逃すことなく、映像調整を容易にした映像信号出力装置を提供することを目的としている。【解決手段】  映像信号を受信する映像信号受信手段（４７）と、受信した映像信号に基づいて映像を出力する映像出力手段（５５）と、出力する映像の映像調整が実行されるための指示を受信する映像調整指示受信手段（５５）と、映像調整が実行されるための指示を受信した場合は映像調整を行うための静止画と前記受信した映像信号に基づく映像の両者を出力する２画面映像出力手段（５５）を備えるように構成している。【選択図】    図４
2006174343.tif 000002
【特許請求の範囲】
【請求項１】
受信した映像信号に基づいて映像を出力する映像信号出力装置において、
映像信号を受信する映像信号受信手段と、
前記受信した映像信号に基づいて映像を出力する映像出力手段と、
前記出力する映像の映像調整が実行されるための指示を受信する映像調整指示受信手段と、
前記映像調整が実行されるための指示を受信した場合は前記映像の表示サイズを縮小して表示し、この縮小映像表示の外に映像調整用の調整表示を表示する調整映像出力手段を備えることを特徴とする映像信号出力装置。
【請求項２】
受信した映像信号に基づいて映像を出力する映像信号出力装置において、
映像信号を受信する映像信号受信手段と、
前記受信した映像信号に基づいて映像を出力する映像出力手段と、
前記出力する映像の映像調整が実行されるための指示を受信する映像調整指示受信手段と、
前記映像調整が実行されるための指示を受信した場合は前記映像の表示サイズを縮小して表示し、この縮小映像表示の外に映像調整用の調整表示を表示する調整映像出力手段と、
前記調整表示を用いて映像調整が実行される映像調整実行手段と、
前記実行された映像調整に係るデータを記憶する調整データ記憶手段を備えることを特徴とする映像信号出力装置。
【請求項３】
受信した映像信号に基づいて映像を出力する映像信号出力装置において、
映像信号を受信する映像信号受信手段と、
前記受信した映像信号に基づいて映像を出力する映像出力手段と、
前記出力する映像の映像調整が実行されるための指示を受信する映像調整指示受信手段と、
前記映像調整が実行されるための指示を受信した場合は前記映像の表示サイズを縮小して表示し、この縮小映像表示の外に映像調整用の調整表示を表示する調整映像出力手段と、
前記調整表示を用いて映像調整が実行される映像調整実行手段と、
前記実行された映像調整に係るデータを記憶する調整データ記憶手段と、
前記記憶された映像調整に係るデータを用いて前記受信した映像信号に基づく調整映像を出力する調整映像出力手段を備えることを特徴とする映像信号出力装置。
【請求項４】
前記出力された映像を表示する表示手段を備えることを特徴とする請求項１乃至３に記載の映像信号出力装置。
【請求項５】
映像信号を受信するステップと、
前記受信した映像信号に基づいて映像を出力するステップと、
前記出力する映像の映像調整が実行されるための指示を受信するステップと、
前記映像調整が実行されるための指示を受信した場合は前記映像の表示サイズを縮小して表示し、この縮小映像表示の外に映像調整用の調整表示を表示するステップを備えることを特徴とする映像信号出力方法。
【請求項６】
映像信号を受信するステップと、
前記受信した映像信号に基づいて映像を出力するステップと、
前記出力する映像の映像調整が実行されるための指示を受信するステップと、
前記映像調整が実行されるための指示を受信した場合は前記映像の表示サイズを縮小して表示し、この縮小映像表示の外に映像調整用の調整表示を表示するステップと、
前記調整表示を用いて映像調整が実行されるステップと、
前記実行された映像調整に係るデータを記憶するステップを備えることを特徴とする映像信号出力方法。
【請求項７】
映像信号を受信するステップと、
前記受信した映像信号に基づいて映像を出力するステップと、
前記出力する映像の映像調整が実行されるための指示を受信するステップと、
前記映像調整が実行されるための指示を受信した場合は前記映像の表示サイズを縮小して表示し、この縮小映像表示の外に映像調整用の調整表示を表示するステップと、
前記調整表示を用いて映像調整が実行されるステップと、
前記実行された映像調整に係るデータを記憶するステップと、
前記記憶された映像調整に係るデータを用いて前記受信した映像信号に基づく調整映像を出力するステップを備えることを特徴とする映像信号出力方法。
【請求項８】
映像信号を受信するステップと、
前記受信した映像信号に基づいて映像を出力するステップと、
前記出力する映像の映像調整が実行されるための指示を受信するステップと、
前記映像調整が実行されるための指示を受信した場合は前記映像の表示サイズを縮小して表示し、この縮小映像表示の外に映像調整用の調整表示を表示するステップと、
前記調整表示を用いて映像調整が実行されるステップと、
前記実行された映像調整に係るデータを記憶するステップと、
前記記憶された映像調整に係るデータを用いて前記受信した映像信号に基づく調整映像を出力するステップと、
前記出力された映像を表示するステップを備えることを特徴とする映像信号出力方法。
【発明の詳細な説明】
【技術分野】
【０００１】
この発明は、受信した映像信号に基づいて映像を出力する映像信号出力装置に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
特許文献１には、入力画像を縮小し、画質調整前の画像を参考画像として、画質調整中の画像と並べて表示させて画質の違いを判りやすくする技術が開示されている。
【特許文献１】特開２００２−218350号公報
【発明の開示】
【発明が解決しようとする課題】
【０００６】
ところで、このように、映像の調整を行う映像信号出力装置においては、映像調整中においても、調整を行う映像を視聴したいという要望があり、映像調整終了後において、表示を元のサイズに戻す操作が煩雑であるという問題があった。
【０００７】
この発明は、上記事情を考慮してなされたもので、映像調整中においても調整映像を視聴しつつ、映像調整終了後において、表示を元のサイズに戻す操作を簡易にした映像信号出力装置を提供することを目的とする。
【課題を解決するための手段】
【０００８】
この発明に係る映像信号出力装置は、映像信号を受信する映像信号受信手段と、前記受信した映像信号に基づいて映像を出力する映像出力手段と、前記出力する映像の映像調整が実行されるための指示を受信する映像調整指示受信手段と、前記映像調整が実行されるための指示を受信した場合は映像調整を行うための静止画と前記受信した映像信号に基づく映像の両者を出力する２画面映像出力手段を備えるように構成している。
【０００９】
また、この発明に係る映像信号出力方法は映像信号を受信するステップと、前記受信した映像信号に基づいて映像を出力するステップと、前記出力する映像の映像調整が実行されるための指示を受信するステップと、前記映像調整が実行されるための指示を受信した場合は映像調整を行うための静止画と前記受信した映像信号に基づく映像の両者を出力するステップを備えるように構成している。
【発明の効果】
【００１０】
この発明によれば、映像調整を行っている間に進行する映像を見逃すことなく、映像調整を容易にした映像信号出力装置を提供することが可能となる。
【発明を実施するための最良の形態】
【００１１】
以下、この発明の実施の形態について図面を参照して詳細に説明する。図１は、この実施の形態で説明する映像信号出力装置１１の外観と、この映像信号出力装置１１を中心として構成されるネットワークシステムの一例を概略的に示している。
【００１２】
すなわち、映像信号出力装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、この映像信号出力装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１４】
さらに、この映像信号出力装置１１には、例えば契約情報等の記録された第２のメモリカード（ＩＣカード）２０が着脱可能となっており、この第２のメモリカード２０に対して情報の記録再生が行なわれるようになっている。
【００１５】
また、この映像信号出力装置１１は、第１のＬＡＮ（Local Area Network）端子２１、第２のＬＡＮ端子２２、ＵＳＢ（Universal Serial Bus）端子２３及びｉ．Link端子２４を備えている。
【００１６】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系の情報であるため、映像信号出力装置１１との間でアナログの映像及び音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２２】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２３】
図２は、上記した映像信号出力装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（Phase Shift Keying）復調器４６に供給されて、デジタルの映像信号及び音声信号に復調された後、信号処理部４７に出力される。
【００２５】
また地上波アナログ信号を受信するアナログチューナ６８も設けられている。アナログチューナ６８で受信された信号は、アナログ復調器６９で復調され信号処理部４７に出力される。
【００２６】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００２９】
このうち、グラフィック処理部５２は、信号処理部４７から供給されるデジタルの映像信号に、ＯＳＤ（On Screen Display）信号生成部５４出生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３０】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００３１】
また、上記音声処理部５３は、入力されたデジタルの音声信号を、前記スピーカ１５で再生可能なフォーマットのアナログ音声信号に変換し、スピーカ１５に出力して音声再生させる。
【００３２】
ここで、この映像信号出力装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００３３】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３４】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３５】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３６】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３７】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００３８】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００３９】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００４０】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４１】
図４は、この発明の実施の形態における映像信号出力装置に表示される映像調整画面の一例を示す図である。
【００４２】
符号１４は映像表示器、符号１４ａは、映像表示器１４に表示される、映像のサイズを縮小した表示（縮小映像表示）、符号１４ｂは映像調整用のＯＳＤ表示である。この映像調整用のＯＳＤ表示１４ｂは縮小映像表示１４ａの外に表示される映像調整用の調整表示である。
【００４３】
ユーザは縮小映像表示１４ａを見ながら、映像調整用のＯＳＤ表示１４ｂを用いて、例えば黒レベル等の、映像調整を行う。
【００４４】
図５は、この発明の実施の形態における映像調整に係る動作を説明するフローチャートである。
【００４５】
符号１００はここでの開始ステップである。続いて符合１０１を付したステップへ進む。
【００４６】
ステップ１０１は映像表示器１４に動画を表示するステップである。この映像は、制御部５６の制御により、映像処理部５５から出力される。続いて符合１０２を付したステップへ進む。
【００４７】
ステップ１０２は映像調整指示ありか否かを判断するステップである。この指示は、ユーザによって、例えば上記図３で説明したリモートコントローラ１７を用いて指示される。リモートコントローラ１７がユーザによって操作されると、その制御信号が映像信号出力装置１１の受光部１８で受講され、制御部５６へ送信される。制御部５６が、ユーザ操作による制御信号について、映像調整指示ありと判断した場合は符号１０３を付したステップへ進む（Ｙｅｓ）。映像調整指示ありと判断されない場合は符号１０２の処理が繰り返される（Ｎｏ）。
【００４８】
ステップ１０３は、映像表示器１４に、上記映像のサイズを縮小して縮小映像表示１４ａを表示し、この縮小映像表示の外に映像調整用のＯＳＤ表示１４ｂを表示するステップである。この映像は、制御部５６の制御により、映像処理部５５から出力される。続いて符合１０４を付したステップへ進む。
【００４９】
ステップ１０４は、ユーザが映像調整用のＯＳＤ表示１４ｂを用いて、例えば黒レベル等の映像調整が行われるステップである。続いて符合１０５を付したステップへ進む。
【００５０】
ステップ１０５は映像調整完了か否かを判断するステップである。映像調整完了と判断した場合は符号１０６を付したステップへ進む（Ｙｅｓ）。映像調整完了と判断されない場合は符号１０５の処理が繰り返される（Ｎｏ）。
【００５１】
ステップ１０６は調整データを制御部５６のメモリ（ＲＯＭ５７、不揮発性メモリ５９等）に記憶するステップである。続いて符合１０７を付したステップへ進む。
【００５２】
ステップ１０７は記憶された調整データに基づいて、縮小映像表示１４ａで表示された映像を、元のサイズに戻して映像表示器１４に表示するステップである。この映像は、制御部５６の制御により、映像処理部５５から出力される。続いて符合１０８を付したステップへ進む。
【００５３】
ステップ１０８は終了ステップであり、ここでの処理は終了する。
【００５４】
上記説明したように、この発明の実施の形態によれば、映像調整を行っている間に進行する映像を見逃すことなく、映像調整を容易にした映像信号出力装置を提供することが可能となる効果がある。
【００５５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除してもよいものである。さらに、異なる実施の形態に係る構成要素を適宜組み合わせてもよいものである。
【図面の簡単な説明】
【００５６】
【図１】この発明の実施の形態を示すもので、映像信号出力装置とそれを中心として構成されるネットワークシステムの一例を概略的に説明するために示す図。
【図２】同実施の形態における映像信号出力装置の主要な信号処理系を説明するために示すブロック構成図。
【図３】同実施の形態における映像信号出力装置のリモートコントローラを説明するために示す外観図。
【図４】同実施の形態における映像信号出力装置に表示される映像調整画面の一例を示す図。
【図５】同実施の形態における映像調整に係る動作を説明するフローチャート。
【符号の説明】
【００５７】
１１…映像信号出力装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、６８…チューナ、６９…アナログ復調器、５２…グラフィック処理部、５３…音声処理部、５６ａ〜５６ｄ…入力端子、５７…ＯＳＤ信号生成部、５５…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006174343.tif 000003
【図２】
2006174343.tif 000004
【図３】
2006174343.tif 000005
【図４】
2006174343.tif 000006
【図５】
2006174343.tif 000007